(57)【要約】【課題】ピストンとシリンダー間のシール性を向上して、操作レバーを牽曳操作する際の液漏れを抑制することが可能なトリガー式液体噴出器を提供する。【解決手段】容器Ｃ内の内容液を吸引、加圧、圧送するポンプＰを備える本体部３と、該本体部３に揺動可能に支持される操作レバー６と、該本体部３の前方端部に設けられたノズル５とを備えるトリガー式液体噴出器１であって、ポンプＰは、操作レバー６に前端部が連結されたピストン３２と、本体部３に装着されて該ピストン３２を収容する筒状のシリンダー部材３０とを備え、ピストン３２は、シリンダー部材３０の内周面に対して液密に摺動するシール部３６を有し、シリンダー部材３０は、内周面から内側に突出し、シール部３６よりも前方でピストン３２の外周面に摺動可能に当接、或いはわずかに隙間をあけるガイド部３７を有することを特徴とする。【選択図】図１
2015145248.tif 000002
【特許請求の範囲】
【請求項１】
容器内の内容液を吸引、加圧、圧送するポンプを備える本体部と、該本体部に揺動可能に支持されて牽曳を繰り返すことで該ポンプを駆動させる操作レバーと、該本体部の前方端部に設けられ、加圧された内容液を外界に向けて噴出させるノズルとを備えるトリガー式液体噴出器であって、
前記ポンプは、前記操作レバーに前端部が連結されたピストンと、前記本体部に装着されて該ピストンを収容する筒状のシリンダー部材とを備え、
前記ピストンは、前記シリンダー部材の内周面に対して液密に摺動するシール部を有し、
前記シリンダー部材は、内周面から内側に突出し、前記シール部よりも前方で前記ピストンの外周面に摺動可能に当接、或いはわずかに隙間をあけるガイド部を有することを特徴とするトリガー式液体噴出器。
【請求項２】
前記本体部は、前記シリンダー部材を外周面側から嵌合保持する筒状の保持部と、該保持部の内側で、前記シリンダー部材の後端部を内周面側から嵌合保持する嵌合リブとを有する、請求項１に記載のトリガー式液体噴出器。
【請求項３】
前記ピストンの外周面及び前記ガイド部の内周面の少なくとも一方に、摺動リブを設けてなる、請求項１又は２に記載のトリガー式液体噴出器。
【発明の詳細な説明】
【技術分野】
【０００１】
本発明は、トリガー式液体噴出器に関するものであり、特には、操作レバーを牽曳操作する際のピストンとシリンダー間での液漏れを抑制する技術に関する。
【背景技術】
【０００２】
黴取り剤や洗剤、衣料用糊剤、住居用ワックス、整髪剤、芳香剤等の液体を入れた容器においては操作レバーを牽曳することによって容器内の液体を直線状、霧状あるいは泡状にして噴出させるトリガー式の液体噴出器が多用されており、これにより液体の効率的な供給を可能にしている。
【０００３】
この種のトリガー式液体噴出器としては、特許文献１に記載されるような、バネ部材にて弾性支持された操作レバーを繰り返し牽曳して容器内の液体を吸引、加圧、圧送する、ピストンおよびシリンダーよりなるポンプと、このポンプによって加圧、圧送された液体を通過させる経路を有するボディと、このボディの経路の末端に配置され該経路を通って圧送された液体を外界へ向けて噴射するノズルとを備えるものが知られている。
【先行技術文献】
【特許文献】
【０００４】
【特許文献１】特開２０１１−１７３０９２号公報
【発明の概要】
【発明が解決しようとする課題】
【０００５】
上記のような従来の液体噴出器では、牽曳操作時に操作レバーに対して横方向もしくは斜め方向の力が加わった場合、ピストンがシリンダーに対して傾く虞があり、当該ピストンとシリンダー間のシール部に隙間が生じて、その隙間から液漏れが発生する懸念があった。
【０００６】
本発明は、このような問題点を解決することを課題とするものであり、ピストンとシリンダー間のシール性を向上して、操作レバーを牽曳操作する際の液漏れを抑制することが可能なトリガー式液体噴出器を提供することを目的とする。
【課題を解決するための手段】
【０００７】
上記課題を解決するため、本発明に係るトリガー式液体噴出器は、容器内の内容液を吸引、加圧、圧送するポンプを備える本体部と、該本体部に揺動可能に支持されて牽曳を繰り返すことで該ポンプを駆動させる操作レバーと、該本体部の前方端部に設けられ、加圧された内容液を外界に向けて噴出させるノズルとを備えるトリガー式液体噴出器であって、
前記ポンプは、前記操作レバーに前端部が連結されたピストンと、前記本体部に装着されて該ピストンを収容する筒状のシリンダー部材とを備え、
前記ピストンは、前記シリンダー部材の内周面に対して液密に摺動するシール部を有し、
前記シリンダー部材は、内周面から内側に突出し、前記シール部よりも前方で前記ピストンの外周面に摺動可能に当接、或いはわずかに隙間をあけるガイド部を有することを特徴とする。
【０００８】
また、本発明に係るトリガー式液体噴出器にあっては、前記本体部は、前記シリンダー部材を外周面側から嵌合保持する筒状の保持部と、該保持部の内側で、前記シリンダー部材の後端部を内周面側から嵌合保持する嵌合リブとを有することが好ましい。
【０００９】
また、本発明に係るトリガー式液体噴出器にあっては、前記ピストンの外周面及び前記ガイド部の内周面の少なくとも一方に、摺動リブを設けてなることが好ましい。
【発明の効果】
【００１０】
本発明によれば、ピストンとシリンダー間のシール性を向上して、操作レバーを牽曳操作する際の液漏れを抑制することが可能なトリガー式液体噴出器を提供することができる。
【図面の簡単な説明】
【００１１】
【図１】本発明の一実施形態に係るトリガー式液体噴出器を断面で示した側面図である。
【発明を実施するための形態】
【００１２】
以下、図面を参照して、本発明をより具体的に説明する。なお、本願明細書、特許請求の範囲、要約書、及び図面では、後述するシュラウドの上壁が位置する側を上方（図１における上側）とし、装着キャップが設けられる側を下方（図１における下側）とする。また、ノズルが設けられる側を前方（図１における左側）とし、その反対側を後方（図１における右側）とする。また、上下方向及び前後方向に対して直交する方向（図１における紙面に垂直な方向）を側方（左右方向（横方向））とする。
【００１３】
図１は、本発明の一実施形態であるトリガー式液体噴出器１を断面図で示したものである。トリガー式液体噴出器１は、容器Ｃの口部に取り付けられる装着キャップ２と、装着キャップ２を回転自在且つ抜け出し不能に保持するとともに、容器Ｃ内の内容液を吸引、加圧、圧送するポンプＰを備える本体部３と、本体部３に連結するとともに容器Ｃの底部に向けて延び、ポンプＰを駆動させることで容器Ｃ内の内容液を吸い上げるパイプ４と、本体部３の前方端部に設けられ、内容液を外界に向けて噴出させるノズル５と、本体部３に揺動可能に支持されて牽曳を繰り返すことでポンプＰを駆動させる操作レバー６と、操作レバー６に復元力を付与するバネ部材７と、本体部３を覆い隠すシュラウド８と、を備えている。
【００１４】
装着キャップ２は、円筒状となる側壁２ａの内面に、容器Ｃの口部に設けたねじ部に適合するねじ部２ｂを有している。また、側壁２ａの上方には、中央部に上部開口２ｃを有する天壁２ｄが設けられていて、天壁２ｄにおける上部開口２ｃの縁部には、径方向内側に向かって下向きに傾斜する天壁テーパ部２ｅが設けられている。
【００１５】
本実施形態において本体部３は、複数の部材から構成されていて、装着キャップ２は、その一つをなすボディ１０に取り付けられる。ボディ１０の下方には、上部開口２ｃに挿通される円筒状の連結筒部１１が設けられていて、連結筒部１１の外周面には、径方向外側に延在するフランジ１２が設けられている。ボディ１０に取り付けられた装着キャップ２は、フランジ１２によって抜け止めされるとともに連結筒部１１に対して回転自在に保持されるため、装着キャップ２のみを回転させることで、ボディ１０を容器Ｃに取り付けることができる。また、フランジ１２の下方には、容器Ｃとフランジ１２とで挟持されるパッキンが設けられている。
【００１６】
また、連結筒部１１の上方には、連結筒部１１に対して後方に偏心するとともに連結筒部１１よりも小径となる縦筒１３が設けられていて、縦筒１３の上方には、前方に向けて延在するとともにその内側に送給経路１４ａを有する横筒１４が設けられている。ここで縦筒１３の内部と横筒１４の送給経路１４ａとは、連通孔１４ｂを介して連通している。
【００１７】
そして、図１に示すように、横筒１４の下方には、縦筒１３から前方に向けて突出する円筒状の保持部１５が設けられていて、保持部１５の径方向内側には、円筒状をなす内筒壁１６が設けられている。また、保持部１５には、その内外を連通させる通気孔１７が形成され、また、保持部１５と内筒壁１６との相互間には、縦筒１３を貫く連通孔１８が形成されている。
【００１８】
また、縦筒１３内には、上記の送給経路１４ａに連通する縦型経路２０ａを形成する円筒状のインテイク２０が設けられている。インテイク２０の下方には、径方向外側に延在するフランジ２１が設けられていて、フランジ２１には、保持部１５の通気孔１７に連通する通気孔２２が形成されている。また、インテイク２０の下端には、縦型経路２０ａに連通するようパイプ４が嵌合保持されている。
【００１９】
更に、インテイク２０の内側には、ポンプＰによって吸引された内容液の逆流を防止する弁２３が設けられ、弁２３の上方には、連通孔１８に連通する連通孔２４が形成され、更に連通孔２４の上方には弁２５、及び連通孔１４ｂにつながる連通孔２６が設けられている。弁２５は、弁部２５ａと、弁部２５ａを弾性支持するバネ体２５ｂと、このバネ体２５ｂ及び弁部２５ａを一体的に保持する基部２５ｃから構成されており、ポンプＰにより内容液を吸引する際には、送給経路１４ａを閉状態に維持しているが、内容液を加圧、圧送するときはバネ体２５ｂの弾性変位により弁部２５ａを押し上げて該送給経路１４ａと縦型経路２０ａとを連通状態にする。
【００２０】
ポンプＰは、保持部１５に嵌合保持される円筒状のシリンダー部材３０と、シリンダー部材３０の内側に収容され、シリンダー部材３０の内側を封止してシリンダー室Ｒを形成するピストン３２とを備える。ピストン３２は、有底円筒状の内側筒３３と、内側筒３３の外面から突出する環状壁３４を介して内側筒３３の外側に位置する外側筒３５とを有し、外側筒３５の後端部外周面には、シリンダー部材３０の内周面に対して摺動可能に液密に当接する環状のシール部３６が設けられている。外側筒３５は、内筒壁１６の外周面を摺動可能に当接、或いはわずかに隙間をあけて配置されている。また、内側筒３３の前方側端部には、上述の操作レバー６に係合する係合孔３３ａが設けられている。
【００２１】
シリンダー部材３０は、内周面から内側に突出し、シール部３６よりも前方でピストン３２の外側筒３５の外周面に摺動可能に当接、或いはわずかに隙間をあけるガイド部３７を有する。図１に示すように、本実施形態においてガイド部３７は、シリンダー部材３０の前端部内周面から突出し、湾曲しながら前方に延びる環状の突起であり、ピストン３２の外側筒３５の外周面に対して摺動可能に当接している。このガイド部３７により、ピストン３２はシリンダー部材３０に対して傾くことを抑制される。なお、ガイド部３７の形状はこれに限定されず、例えば、図１においてガイド部３７とシリンダー部材３０の端部との間には環状の隙間３７ａが形成されているが、この隙間３７ａを埋めた形状とすることも可能である。
【００２２】
また、シリンダー部材３０には、シリンダー部材３０の内外を連通させるとともに、保持部１５とシリンダー部材３０との間に形成される隙間を介して保持部１５の通気孔１７に連通する外気導入孔３１が形成されている。図１に示すように、外気導入孔３１は、操作レバー６が牽曳されていない状態においてシール部３６によって塞がれている。さらに、本実施形態においてシリンダー部材３０は、縦筒１３から前方に突出する嵌合リブ１９によって、その後端部を内周面側から嵌合保持されている。
【００２３】
上記の構成からなる本実施形態のトリガー式液体噴出器１にあっては、操作レバー６を牽曳してピストン３２をシリンダー部材３０に対して後退させると、シリンダー室Ｒ内の液体が加圧され、加圧された液体は連通孔１８、２４を通過し、縦型経路２０ａ、弁２５、送給経路１４ａを経てノズル５から外界に噴射される。その後、操作レバー６を解放すると、該操作レバー６はバネ部材７の復元力によって前方に揺動し、これに追従してピストン３２もシリンダー部材３０に対して前進してシリンダー室Ｒ内が負圧となる。これにより、容器Ｃ内の液体がパイプ４から吸い上げられるとともに弁２３を押し上げて、シリンダー室Ｒ内に流入する。このような操作レバー６の牽曳と解放を繰返すことにより、容器Ｃ内の液体をノズル５から連続的に噴射することができる。
【００２４】
そして、本実施形態のトリガー式液体噴出器１によれば、このような操作レバー６の牽曳操作時に、操作レバー６に対して横方向（左右方向）もしくは斜め方向の力が加わった場合でも、ピストン３２の外周面に対して摺動可能に当接するシリンダー部材３０のガイド部３７が、ピストン３２の前後方向以外の移動を制限しているため、従来のようにピストン３２がシリンダー部材３０に対して傾くことがない。その結果、シリンダー部材３０の内周面とシール部３６との間に隙間が生じることがなくなり、ピストン３２とシリンダー部材３０の間のシール性が向上して、シリンダー室Ｒ内の液体が外部に漏出するのを防止することができる。
【００２５】
また、本実施形態のトリガー式液体噴出器１にあっては、シリンダー部材３０の後端部を内周面側から嵌合保持する嵌合リブ１９を設けたことにより、シリンダー部材３０を本体部３に対してより確実に固定し、シリンダー部材３０と本体部３間のシール性を高めるとともに、ピストン３２のシリンダー部材３０に対する傾きをより確実に抑制してシール性を向上させ、液漏れを防止することができる。
【００２６】
また、本実施形態のトリガー式液体噴出器１にあっては、ピストン３２の外側筒３５の内周面を、内筒壁１６の外周面に対して摺動可能としたことにより、より確実にピストン３２のシリンダー部材３０に対する傾きを抑制して、液漏れを防止することができる。
【００２７】
また、本発明のトリガー式液体噴出器１にあっては、ピストン３２の外周面及びガイド部３７の内周面の少なくとも一方に、摺動リブを設けることが可能である。摺動リブとしては、例えば、ピストン３２の軸線方向に延びる細長い形状のリブを、ピストン３２の外周面に、周方向に間隔をあけて複数本設けたものとすることができる。このような摺動リブを設けることで、ガイド部３７の内周面とピストン３２の外周面とが全周にわたって当接した状態で摺動する場合に比べて、より軽い力で操作レバー６を牽曳することができる。  
【００２８】
以上、図示例に基づき説明したが、本発明は上述の実施形態に限定されるものでなく、特許請求の範囲の記載範囲内で適宜変更することができるものであり、例えば、ガイド部３７の形状は環状である必要はなく、周方向に間欠する複数のリブ状突起とすることも可能である。また、シリンダー部材３０の後端部を嵌合保持する嵌合リブ１９の形状は、環状としてもよいし、周方向に間欠する複数のリブ状突起とすることも可能である。
【符号の説明】
【００２９】
１    トリガー式液体噴出器
２    装着キャップ
２ａ  側壁
２ｂ  ねじ部
２ｃ  上部開口
２ｄ  天壁
２ｅ  天壁テーパ部
３    本体部
４    パイプ
５    ノズル
６    操作レバー
７    バネ部材
８    シュラウド
１０  ボディ
１１  連結筒部
１２  フランジ
１３  縦筒
１４  横筒
１４ａ  送給経路
１５  保持部
１６  内筒壁
１７  通気孔
１８  連通孔
１９  嵌合リブ
２０  インテイク
２０ａ  縦型経路
２１  フランジ
２２  通気孔
２３  弁
２４  連通孔
２５  弁
２５ａ  弁部
２５ｂ  バネ体
２５ｃ  基部
２６  連通孔
３０  シリンダー部材
３１  外気導入孔
３２  ピストン
３３  内側筒
３３ａ  係合孔
３４  環状壁
３５  外側筒
３６  シール部
３７  ガイド部
Ｃ    容器
Ｐ    ポンプ
Ｒ    シリンダー室
【図１】
2015145248.tif 000003